(57)【要約】【課題】  把手等の手掛け用の別部材を用いなくても手に提げて使用することができて低コストに製作することができ、廃棄も容易であり、しかも二重包装のような無駄もなく、さらには開封も容易な袋を提供する。【解決手段】  上部が開口し、この開口部寄りの前後の胴部３、４にそれぞれ把手部用の窓５、６を形成し、前記窓は袋を平坦に畳んだ際に重なり合う位置に形成され、かつ各窓は上辺または下辺が胴部と連続し、これら上辺または下辺を除く三方が切り込み線で胴部から切り離された舌片部８、９をそれぞれ有し、一方の胴部４における舌片部９は上辺を折り線６ａとして他方の胴部における窓部５上辺を挟んで上方へ折り返され、他方の胴部３における舌片部８は下辺を折り線５ａとして一方の胴部４における窓部６下辺を挟んで下方へ折り返されて使用されるように構成した。【選択図】  図１
2006347576.tif 000002
【特許請求の範囲】
【請求項１】
上部が開口し、この開口部寄りの前後の胴部にそれぞれ把手部用の窓を形成してなる袋。
【請求項２】
前記窓は袋を平坦に畳んだ際に重なり合う位置に形成され、かつ各窓は上辺または下辺が胴部と連続し、これら上辺または下辺を除く三方が切り込み線で胴部から切り離された舌片部をそれぞれ有し、一方の胴部における舌片部は上辺を折り線として他方の胴部における窓部上辺を挟んで上方へ折り返され、他方の胴部における舌片部は下辺を折り線として一方の胴部における窓部下辺を挟んで下方へ折り返されて使用されるように構成してなる請求項１に記載の袋。
【請求項３】
前記前後の胴部のうちの少なくとも一方の胴部に、前記窓の下辺から下方に向かう裂断用線を設けてなる請求項１または２に記載の袋。
【請求項４】
前記舌片部のうち、下辺が胴部と連続する一方の舌片部に、切り込み線によって下辺から立ち上がる摘み片を設け、この摘み片の左右の基端部からそれぞれ下方に向かう裂断用線を設けてなる請求項２に記載の袋。
【請求項５】
素材が紙である請求項１乃至４に記載の袋。
【発明の詳細な説明】
【技術分野】
【０００１】
本発明は商品包装用の袋に関し、より詳しくは上部手掛け用の窓よりなる把手部を備える袋に関する。
【背景技術】
【０００２】
従来から商品包装用の袋として、例えば図５に示されるような角底タイプの紙袋３１が広く使用されており、商品を袋３１内に収容してから開口部を折り畳み、粘着テープ３２やステープル等の止め具にて閉じて使用されている。
【０００３】
上述のような袋は、そのままでは持ちにくいので、店頭ではこのような袋をさらに樹脂フィルム製の手提げ袋、いわゆるレジ袋に入れて商品の購入者に渡される。
【０００４】
また、紙箱の場合には手掛け用の窓を切り込み線によって設けて、そのまま持ち運びを容易にできるようにしたもの（例えば、特許文献１参照）もあるが、袋の場合には例えば上部に紐や樹脂成形品よりなる把手等の手掛け用の別部材を取り付けている。
【特許文献１】特開平７−２７７３２１号公報（第１〜４頁、図１〜６）
【発明の開示】
【発明が解決しようとする課題】
【０００５】
本発明は、袋本体の素材だけで構成され、従来のもののように把手等の手掛け用の別部材を用いることなく手に提げて使用することができ、したがって低コストに製作することができて廃棄も容易であり、しかも二重包装のような無駄もなく、さらには開封も容易な袋を提供することを目的としている。
【課題を解決するための手段】
【０００６】
上記課題を解決するために、本発明に係る袋の基本的な構成は、上部が開口し、この開口部寄りの前後の胴部にそれぞれ把手部用の窓を形成してなるものとしてある。
【０００７】
具体的には、前記窓は袋を平坦に畳んだ際に重なり合う位置に形成され、かつ各窓は上辺または下辺が胴部と連続し、これら上辺または下辺を除く三方が切り込み線で胴部から切り離された舌片部をそれぞれ有し、一方の胴部における舌片部は上辺を折り線として他方の胴部における窓部上辺を挟んで上方へ折り返され、他方の胴部における舌片部は下辺を折り線として一方の胴部における窓部下辺を挟んで下方へ折り返されて使用されるように構成してある。
【０００８】
また、前記前後の胴部のうちの少なくとも一方の胴部に、前記窓の下辺から下方に向かう裂断用線を設けたり、前記舌片部のうち、下辺が胴部と連続する一方の舌片部に、切り込み線によって下辺から立ち上がる摘み片を設け、この摘み片の左右の基端部からそれぞれ下方に向かう裂断用線を設けたりするなる構成としてあって、素材を紙としてある。
【発明の効果】
【０００９】
本発明によれば、袋を紙や合成樹脂シート（フィルム）等の単一の素材で構成することができ、しかも手掛け用の窓を設けてあるので、二重包装のような無駄がなく、かつ低コストに製造することができ、しかも使用後の廃棄を容易に行うことができる。
【００１０】
また、窓内に舌片部を有し、これら舌片部の一方を上に、他方を下に向けて折り返して使用されるので、窓まわりの強度が向上し、しかも持ちやすいものとすることができ、さらには舌片部を残して窓を形成するので、打ち抜きで窓を形成する場合に生じるうち抜き屑が発生せず、製造時の廃棄物の減量を図ることができるというメリットもある。
【００１１】
さらに、胴部に裂断用線を設けてあり、しかもこの裂断用線を窓の下辺部から下方に向かうよう構成してあるので、袋の上部を開かなくても容易に開封することができる。
【発明を実施するための最良の形態】
【００１２】
以下、本発明に係る袋の実施例を添付図面に示される具体例に基づいて詳細に説明する。
本実施例の袋１は、底部２が角底をなし、上部が開口する構成のものとしてあって、前胴３と後胴４の上部にはそれぞれ把手部を構成する手掛け用の窓５、６を設けてある。
【００１３】
しかして、窓５、６はそれぞれ切り込み線７、７で形成されていて、一方の胴部（図１では前胴３）における一方の窓５は下辺５ａを折り線とする舌片部８を有し、他方の胴部（図１では後胴４）における他方の窓６は上辺６ａを折り線とする舌片部９を有している。
【００１４】
また、窓の下辺で連続する前記舌片部（図１では前胴３における窓５の舌片部８）には、切り込み線１０によって摘み片１１を設けてあって、この摘み片１１は前記窓５の下辺５ａから立ち上がるように構成されている。
【００１５】
そして、上記摘み片１１の左右の基端部から下方に向かう、ミシン目よりなる裂断用線１２、１２を前胴３に形成してあって、これら裂断用線は下方に向かって互いの間隔が徐々に広がる形状に構成されている。
【００１６】
図２、３は本発明に係る袋の使用状態を示し、前後の胴３、４における窓５、６は袋の開口部を畳んだ状態において重なり合う位置に形成されていて、前胴３の舌片部８は窓５の下辺５ａを折り線として後胴４における窓部下辺を挟んで下方へ折り返され、後胴４の舌片部９は窓６の上辺６ａを折り線として前胴３における窓部上辺を挟んで上方へ折り返される。
【００１７】
すなわち、舌片部８、９はいずれも他方の窓部の上下いずれかの辺を挟み込むように折り畳まれるので、窓部まわりの強度を向上せしめることができる。
【００１８】
また、袋を閉じた使用状態において前記摘み片１１を引き下げると、図４に示されるように裂断用線１２、１２の部分が引き裂かれて、前胴３に開口部１３が形成され、袋の中に収容されている物品１４を取り出せるようになる。
【００１９】
上述した実施例の袋においては、袋を角底の紙袋で構成してあるが、底部の形状は角底以外の形状のものとする場合もあるし、袋の素材も紙以外の合成樹脂材製のシートやフィルムで構成する場合もある。
【００２０】
また、本実施例のものでは裂断用線１２、１２にて袋を開封するための摘み片１１を設けてあるが、この摘み片を設けない場合もあるし、裂断用線を１本あるいは３本以上形成する場合もあり、摘み片も裂断用線も設けない場合もある。
【００２１】
さらに、前後の胴３、４の内側における窓部５、６まわりに、補強用の薄手のシートを設ける場合もあり、このシートには、例えば薄手の紙やＰＥＴ（ポリエチレンテレフタレート）フィルム等の合成樹脂フィルムを使用するのが好適であり、製造時において袋の素材用紙（シート）の要所に予め貼り付けておいて、通常の製袋を行う。
【００２２】
上述のように補強用シートを設けると、窓部まわりの強度が増すだけでなく、使用時において窓部に手を掛けた際の安定感が向上するというメリットがあり、また、摘み片の剛性向上に伴って摘みやすさが増し、もちろん摘み片自体の強度の向上も期すことができる。
さらに、補強用シートは裂断用線の上部にも掛かるので、裂断の際のガイドとなり、袋をきれいに引き裂いて開封することができる。
【図面の簡単な説明】
【００２３】
【図１】本発明に係る袋の実施例を示す斜視図。
【図２】本発明に係る袋の使用状態を示す斜視図。
【図３】図２のIII−III線縦断面図。
【図４】袋を開封した状態を示す斜視図。
【図５】従来の袋における使用状態の一例を示す斜視図。
【符号の説明】
【００２４】
１  袋
２  底部
３  前胴
４  後胴
５  前胴の窓
６  後胴の窓
７  切り込み線
８、９  舌片部
１０  切り込み線
１１  摘み片
１２  裂断用線
【図１】
2006347576.tif 000003
【図２】
2006347576.tif 000004
【図３】
2006347576.tif 000005
【図４】
2006347576.tif 000006
【図５】
2006347576.tif 000007